(57)【要約】【課題】椅子のクッションの提供。【解決手段】本考案は、椅子における人体を載せるクッションの構造に関するものである。本考案の椅子のクッションには、筐体、本体、固定ビンディングを含む。当該筐体の周縁に第一嵌め込み溝と第二嵌め込み溝が設置され、第二嵌め込み溝は第一嵌め込み溝の外側にある。当該本体にはブラケットとクッションが含まれ、当該クッションは展開されてブラケットを覆うようになっている。そして、当該本体は第一嵌め込み溝と嵌め合った後、一定の高さを突き出して第二嵌めこみ溝に隣接している。固定ビンディングは第二嵌め込み溝にぎっしりと詰められ、本体の突き出した部分と噛み合うことによって本体を筐体内に固定する。【選択図】図１
0003125852.tif 000002
【実用新案登録請求の範囲】
【請求項１】
周縁には第一嵌め込み溝と第二嵌め込み溝が設けられ、第二嵌め込み溝は第一嵌め込み溝の外側に設置される筐体と、
ブラケットとクッションを含み、当クッションは展開状態でブラケットを覆うようになり、また、第一嵌め込み溝に嵌め込んで、一定の高さまで突き出して第二嵌め込み溝に隣接する本体と、
第二嵌め込み溝に詰められ、本体の突き出した部分と噛み合い、本体を筐体の中に固定する固定ビンディングとを包含することを特徴とする椅子のクッション。
【請求項２】
当該シートは網状になっていることを特徴とする請求項１記載の椅子のクッション。
【請求項３】
当該シートは布表面になっていることを特徴とする請求項１記載の椅子のクッション。
【請求項４】
当該シートは皮表面になっていることを特徴とする請求項１記載の椅子のクッション。
【請求項５】
当該固定ビンディングは曲げられる材質であることを特徴とする請求項１記載の椅子のクッション。
【請求項６】
当該固定ビンディングは弾力性を持つものであることを特徴とする請求項１記載の椅子のクッション。
【請求項７】
当該固定ビンディングはパイプ状になっていることを特徴とする請求項１記載の椅子のクッション。
【請求項８】
当該筐体の底部は更に、少なくとも一本のシャフトを接続していることを特徴とする請求項１記載の椅子のクッション。
【考案の詳細な説明】
【技術分野】
【０００１】
本考案は椅子のクッションに関するもので、特に椅子構造における人体を載せる椅子のクッションである。
【背景技術】
【０００２】
椅子クッションは人体を載せる部分で、人々をより快適に、より健康的に座ってもらうために、椅子クッションに使用される材質及び構造には特別な設計と配慮がある。人体工学に従い、脊柱及び臀部をサポートする力を適切に伸ばして分散する以外に、椅子クッションの柔軟性、通気性、さらに軽量性のいずれも設計時において配慮される要素である。
【０００３】
従来のさまざまの椅子において、人体を載せる際の快適性を良くするため、椅子クッションの中にフォームラバー、シリコンなどの弾力を持つ物質を入れて柔軟性を上げる。しかし、このような椅子クッション構造の体積は大きく、搬送や貯蔵の時には不便である。一方、軟らかい特性を持つとはいえ、結構の厚み、又はその構造のせいで、長く座ると、蒸し暑さを感じて不快な気持ちになってしまう。それは、排熱性と通気性とも不良であるため、長時間には座れない。ポイントは、前述の椅子クッション構造には、筐体、サポート用弾性体、そして外側の皮カバー、又は布カバーを持っており、製造プロセスにおいてもより複雑で高コストになる。
【０００４】
また、前述の排熱性と通気性不良の欠点を補足するために、市販の伝統の竹編み表面や藤編み表面の網状シートがあり、これにはよりよい通気性を持っているとはいえ、網状のシートは弾力性がないので、快適性は欠けている。しかも、その編み加工の手順はより複雑になる以外に、コストも低くない。もう一つ良く知られている椅子シートは弾性紐を利用して平行に設置されるシートである。通気性と弾力性がよいのは長所だが、弾性紐の使用時間が経つにつれて弾力が弱くなり、適当な弾力と柔軟性を保つことができない。つまり、耐用性が足りない。
【考案の開示】
【考案が解決しようとする課題】
【０００５】
従来の椅子クッションの排熱性と通気性が悪い欠点を改良すると共に、椅子クッションの製造をより便利、より低コスト、より長い耐用性にするために、本考案は、単層のクッション表面のみの椅子クッション構造を提出している。単層且つ弾力のある椅子クッション構造を通し、従来より高い排熱性と通気性に、簡単な構造により、製造プロセスの手順とコストを大幅に低減し、椅子クッションの設置はより安定、しかも使用年限は延長される。
【０００６】
以上の目的に基づき、本考案は特定の椅子クッション構造を提供している。それには、筐体、本体、固定ビンディングが含まれている。筐体の周縁に第一嵌め込み溝と、それの外側にある第二嵌め込み溝がある。本体にはブラケットとクッションを包括し、当該クッションは展開の形で当該ブラケットを覆うようになっている。そして、当該本体は第一嵌め込み溝と嵌め合って一定の高さまで突き出し、第二嵌め込み溝に隣接している。固定ビンディングは第二嵌め込み溝にぎっしりと詰められ、本体の突き出した部分と噛み合うことにより、本体を当該筐体に固定する。その中に、当該クッションは網状の表面、皮表面または布表面のいずれでも良いが、この限りではない。当該固定ビンディングは弾力のあって曲げられる材質によって作られ、その形はパイプ状のものでもいいし、他の形のものでもよいが、ここでは特に制限がない。
【０００７】
本考案の椅子クッション構造により、人体を載せるのは単層のシートであり、それの周縁は展開状態でブラケットを覆っている。ゆえに、真ん中の部分は載せる部分であって弾力と快適性をもつものである。このクッションは弾力のあるひもでないため、弾力が弱くなる欠点はなく、より長い使用年限がある。一方、このクッションは単層の構造なので、優れた通気性と通風性があり、排熱効果も優れている。それに、本考案の椅子クッション構造は簡単で、組立ても容易なので、製造プロセスの手順と必要なコストは従来のものより少ない。
【課題を解決するための手段】
【０００８】
請求項１の考案は、周縁には第一嵌め込み溝と第二嵌め込み溝が設けられ、第二嵌め込み溝は第一嵌め込み溝の外側に設置される筐体と、
ブラケットとクッションを含み、当クッションは展開状態でブラケットを覆うようになり、また、第一嵌め込み溝に嵌め込んで、一定の高さまで突き出して第二嵌め込み溝に隣接する本体と、
第二嵌め込み溝に詰められ、本体の突き出した部分と噛み合い、本体を筐体の中に固定する固定ビンディングとを包含することを特徴とする椅子のクッションとしている。
請求項２の考案は、当該シートは網状になっていることを特徴とする請求項１記載の椅子のクッションとしている。
請求項３の考案は、当該シートは布表面になっていることを特徴とする請求項１記載の椅子のクッションとしている。
請求項４の考案は、当該シートは皮表面になっていることを特徴とする請求項１記載の椅子のクッションとしている。
請求項５の考案は、当該固定ビンディングは曲げられる材質であることを特徴とする請求項１記載の椅子のクッションとしている。
請求項６の考案は、当該固定ビンディングは弾力性を持つものであることを特徴とする請求項１記載の椅子のクッションとしている。
請求項７の考案は、当該固定ビンディングはパイプ状になっていることを特徴とする請求項１記載の椅子のクッションとしている。
請求項８の考案は、当該筐体の底部は更に、少なくとも一本のシャフトを接続していることを特徴とする請求項１記載の椅子のクッションとしている。
【考案の効果】
【０００９】
本考案は椅子のクッションを提供し、従来の椅子クッションの排熱性と通気性が悪い欠点を改良すると共に、椅子クッションの製造をより便利、より低コスト、より長い耐用性にするために、本考案は、単層のクッション表面のみの椅子クッション構造を提出している。単層且つ弾力のある椅子クッション構造を通し、従来より高い排熱性と通気性に、簡単な構造により、製造プロセスの手順とコストを大幅に低減し、椅子クッションの設置はより安定、しかも使用年限は延長される。
【考案を実施するための最良の形態】
【００１０】
図１を参照すること。当図示は本考案実施例の分解立体図である。本考案の椅子のクッションは、筐体１０、本体２０、固定ビンディング３０が含まれている。本体２０は筐体１０の中に嵌めこまれており、固定ビンディング３０は本体２０を筐体１０に固定している。
【００１１】
引き続き、図１を参照すること。筐体１０は、表面の周縁に第一嵌め込み溝１１と第二嵌め込み溝１２が設けられ、第二嵌め込み溝１２は第一嵌め込み溝１１の外側にあり、段差を形成している。第一嵌め込み溝の幅は、本体２０の周縁によって設置され、第二嵌め込み溝１２は第一嵌め込み溝１１に合わせて設置された。その外側の周縁でより高い位置の嵌め込み溝ができている。筐体１０の底部は二本の固定用ブラケット１３をまたがり、ブラケット１３の設置数と形には特に制限がない。
【００１２】
本体２０にはブラケット２１とクッション２２が含まれている。クッション２２は展開してブラケット２１を覆っている。クッション２２が覆う際に、まず展開してブラケット２１の表面を覆い、クッション２２の四つの端を引っ張り、四つの端の周縁をブラケット２１の底部に固定する。固定方法としては、接着剤を利用したり、固定ピン又は他の方法を使ったり固定する。椅子クッション２２は本実施例においては網クッションを利用しているが、この限りではない。布クッション、皮クッションやその他弾力の持つクッション素材でもよい。
【００１３】
固定ビンディング３０は弾力を持つか、可撓性のあるビンディング状の構造であり、真ん中はパイプ状のものでもいいし、ソリッドのものでもよい。固定ビンディング３０は、第二嵌め込み溝１２を詰めるものなので、固定効果を考え、その外径は第二嵌め込み溝１２より大きくすべきである。
【００１４】
同時に図１から図３を参照。図２と図３は、本考案の実施例が組立後の外形イメージ図と断面図である。本考案の椅子クッション１を組み立てる際に、まず本体２０を筐体１０の第一嵌め込み溝１１に置き、嵌め合った後に一定の高さの突き出しがあり、それはまた第二嵌め込み溝１２に隣接し、本体２０の突き出した部分の側面を第二嵌め込み溝１２と溝状の形にならせる。最後に、固定ビンディング３０を第二嵌め込み溝１２の中に詰める同時に、固定ビンディング３０と本体２０の突き出した部分を固定させ、本体２０を筐体１０の中に固定させる。このように、本考案の椅子クッション構造は非常に簡単であり、組立も容易であるため、製造プロセスの手順と必要なコストは従来のものより少ない。
【００１５】
図４を参照してください。これは本考案が椅子に組み立てた実施例のイメージ図である。本考案の椅子クッション１構造は、現に使用されている椅子のシート部に適用でき、又は取り替えられる。椅子を組み立てる際に、まずクッション１のシャフト１３を椅子の足Ａと連結しているサポートボードＡ１に結び付ければ、簡単に組立作業が完了する。更に背中のクッションＣを設けたい場合、接続シャフトＢで椅子クッション１、又はサポートボードＡ１とを連結することにより、組立作業が完成される。
【図面の簡単な説明】
【００１６】
【図１】本考案の実施例の分解立体図である。
【図２】本考案の実施例で、組立後のイメージ図である。
【図３】図２におけるＡ−Ａ線の断面のイメージ図。
【図４】本考案の実施例で、椅子に組み立てたイメージ図である。
【符号の説明】
【００１７】
１  椅子クッション
１０  筐体
１１  第一嵌め込み溝
１２  第二嵌め込み溝
１３  シャフト
２０  本体
２１  ブラケット
２２  クッション
３０  固定ビンディング
Ａ  椅子の足
Ａ１  サポートボード
Ｂ  連結シャフト
Ｃ  背中のクッション
【図１】
0003125852.tif 000003
【図２】
0003125852.tif 000004
【図３】
0003125852.tif 000005
【図４】
0003125852.tif 000006